(57)【要約】【課題】操作ミスを減らし、ネットワーク全体の負荷を軽減し、情報漏洩に対するセキュリティを向上させるデータ転送システムを提供することを課題とする。【解決手段】情報処理装置の数に応じた通信ケーブルが接続されると、通信ケーブルごとに異なるネットワークアドレスを付与し、この通信ケーブルに接続された情報通信端末にＩＰアドレスを付与するアドレス付与手段を有するルータと、上記ネットワークアドレスごとに１の情報処理装置を対応させた対応テーブル生成手段と、上記情報通信端末から上記ルータを介して転送されたデータを受信し、上記対応テーブルにより、上記データを転送した情報通信端末の属するネットワークアドレスに対応する情報処理装置を選択する選択手段と、選択された情報処理装置に上記所定のデータを転送する転送手段とを有する情報処理サーバとを備えたデータ転送システムを提供する。 【選択図】図４
2009004898.tif 000002
【特許請求の範囲】
【請求項１】
情報通信端末から、通信ケーブルを接続した通信経路制御装置を介して、複数の情報処理装置のうち特定の情報処理装置を選択して所定のデータを転送するデータ転送システムであって、
上記通信経路制御装置は、上記通信ケーブルの差込口を複数有し、この差込口に上記複数の情報処理装置の数に対応した通信ケーブルが接続されると、各通信ケーブルごとに異なるネットワークアドレスを付与するとともに、この通信ケーブルに接続された情報通信端末に自動的にＩＰアドレスを付与するアドレス付与手段を有し、上記ネットワークアドレスごとに１の情報処理装置を対応させた対応テーブル生成手段と、上記情報通信端末から上記通信経路制御装置を介して転送された所定のデータを受信し、上記対応テーブルにより、上記所定のデータを転送した情報通信端末の属するネットワークアドレスに対応する情報処理装置を選択する選択手段と、選択された情報処理装置に上記所定のデータを転送する転送手段とを有する情報処理サーバを備えたことを特徴とするデータ転送システム。
【請求項２】
上記情報通信端末が、上記対応テーブル生成手段と、情報処理装置の選択手段と、情報処理装置に所定のデータを転送する転送手段とを備えたものであることを特徴とする請求項１記載のデータ転送システム。
【請求項３】
上記通信経路制御装置は、上記ＩＰアドレス付与手段が、各差込口に接続された通信ケーブルごとにブロードキャストドメインを分割するＶＬＡＮ機能により、各通信ケーブルごとに異なるネットワークアドレスを付与する手段と、ＤＨＣＰサーバ機能により、上記情報通信端末が上記いずれかの通信ケーブルに接続されると、この情報通信端末にＩＰアドレスを自動的に付与する手段とから構成されたルータであることを特徴とする請求項１または請求項２に記載のデータ転送システム。
【請求項４】
上記通信経路制御装置は、上記ＩＰアドレス付与手段が、上記各差込口にハブを介して、ＤＨＣＰサーバと上記通信ケーブルとを接続し、このＤＨＣＰサーバによって通信ケーブルごとにネットワークアドレスを付与するとともに、上記情報通信端末が上記いずれかの通信ケーブルに接続されると、この情報通信端末にＩＰアドレスを自動的に付与するように構成されたものであることを特徴とする請求項１または請求項２に記載のデータ転送システム。
【請求項５】
情報処理装置の数に対応した通信ケーブルに加えて、複数の情報処理装置の組み合わせの数に対応した通信ケーブルも上記差込口に接続し、上記ＩＰアドレス付与手段は、各通信ケーブルに異なるネットワークアドレスを付与するとともに、上記情報通信端末が上記いずれかの通信ケーブルに接続されると、この情報通信端末にＩＰアドレスを自動的に付与するものであり、上記対応テーブル生成手段は、上記ネットワークアドレスごとに１または複数の情報処理装置を対応させたものであることを特徴とする請求項１から請求項４までのいずれかに記載のデータ転送システム。
【請求項６】
上記所定のデータが、画面表示データであり、上記情報処理装置が、この画面表示データを表示する画面表示装置であることを特徴とする請求項１から請求項５までのいずれかに記載のデータ転送システム。  
【請求項７】
上記情報処理サーバまたは上記情報通信端末で、上記対応テーブル生成手段及び情報処理装置の選択手段の機能を実現させることを特徴とするプログラム。
【請求項８】
情報通信端末から、通信ケーブルを接続した通信経路制御装置を介して、複数の情報処理装置のうち特定の情報処理装置を選択して所定のデータを転送するデータ転送方法であって、
上記通信経路制御装置の複数の差込口に情報処理装置の数に対応した通信ケーブルを接続し、各通信ケーブルに異なるネットワークアドレスを付与するステップと、付与された各ネットワークアドレスに１つの情報処理装置を対応させた対応テーブルを生成するステップと、上記情報通信端末を上記通信ケーブルに接続し、接続された通信ケーブルに付与されたネットワークアドレスに基づいて上記情報通信端末にＩＰアドレスを自動的に付与するステップと、この情報通信端末で通信ケーブルの接続を検出し、上記通信ケーブルを介して上記所定のデータを上記情報処理装置に転送するステップと、上記対応テーブルによって転送された上記所定のデータの転送先となる情報処理装置を選択するステップと、選択された情報処理装置に上記所定のデータを転送するステップとを有することを特徴とするデータ転送方法。
【請求項９】
上記付与された各ネットワークアドレスに１つ情報処理装置を対応させるとともに、複数の情報処理装置を組み合わせたものも対応させて対応テーブルを生成し、上記情報通信端末が、複数の情報処理装置を組み合わせたものに対応するネットワークアドレスを付与された通信ケーブルに接続された場合は、この複数の情報処理装置に上記転送データを転送することを特徴とするデータ転送方法。
【発明の詳細な説明】
【技術分野】
【０００１】
情報通信端末から、通信ケーブルを接続した通信経路制御装置を介して、情報処理装置にデータを転送するデータ転送システム、データ転送プログラム及びデータ転送方法に関し、特に、複数の情報処理装置のうち特定の情報処理装置を選択して所定のデータを転送するものに関する。
【背景技術】
【０００２】
情報通信端末から所定のデータを情報処理装置に転送するシステムとして、例えば、パーソナルコンピュータから、ＲＧＢケーブルを介してプロジェクタなどの画面表示装置に画面データを転送し、表示させるものがある。
【０００３】
さらに、ＬＡＮなど通信ネットワーク網を介してデータを転送する場合は、パーソナルコンピュータと画面投影装置との間にルータなどの通信経路制御装置を介在させ、複数の機器間でデータ転送を行なうこともできる。
【０００４】
従来、任意の情報を処理し、処理した情報を表示情報として無線ネットワークを介して出力可能な複数の情報処理装置と、上記情報処理装置との上記無線ネットワークを介した通信を制御する通信制御装置と、上記通信制御装置で受信した表示情報を映像表示する表示装置とを備え、上記複数の情報処理装置及び上記通信制御装置の中の特定の装置によって指定される接続順番に従って、上記通信制御装置と上記複数の情報処理装置の各々との間の上記無線ネットワークを介した接続を順次切換え、上記表示情報の送出を順次指示するシステムが提案されていた。
（例えば、特許文献１参照）。
【特許文献１】特開２００５−２６８５３（請求項１の記載、３ページの記載）
【発明の開示】
【発明が解決しようとする課題】
【０００５】
上記従来技術では、表示情報を送信するパーソナルコンピュータが複数ある場合の転送手続については簡素化されるが、複数の表示装置のうち、所望の表示装置にのみ表示データを転送するシステムについては提案されていなかった。
【０００６】
複数の表示装置のうち、所望の表示装置にのみ表示データを転送するためには、パーソナルコンピュータに表示装置を選択させるツールをインストールする手法が一般的であるが、パーソナルコンピュータを上記表示装置のクライアント端末として起動させた後、上記ツールによる表示装置の選択画面を表示し、パーソナルコンピュータによって所望の表示装置を選択しなければならず、操作が煩雑になるという不具合があった。
【０００７】
また、上記システムで、接続されている複数の表示装置が異なる場所に設置されている場合、上記ツールの操作ミスにより、所望する表示装置以外の表示装置に表示データが転送され、情報漏洩のリスクがあった。
【０００８】
さらに、表示データを上記ＬＡＮ等の通信ネットワーク網で転送すると、ネットワーク内全体の転送速度が低下するという問題が生じるとともに、第三者が容易にデータにアクセスできるため、セキュリティ上の問題も生じていた。
【０００９】
上記従来技術の問題点は、表示データを表示装置に転送する場合について説明したが、情報通信端末と情報処理装置との間でデータを転送するシステムであれば、共通して生じる問題である。
【００１０】
そこで、本発明は、上記問題点に鑑み、操作を簡易にすることにより、操作ミスを減らし、ネットワーク全体の負荷を軽減するとともに、情報漏洩等に対するセキュリティを向上させることが可能なデータ転送システム、データ転送方法、及びデータ転送プログラムを提供することを課題とする。
【課題を解決するための手段】
【００１１】
上記課題を解決するため、本発明にかかるデータ転送システムは、情報通信端末から、通信ケーブルを接続した通信経路制御装置を介して、複数の情報処理装置のうち特定の情報処理装置を選択して所定のデータを転送するデータ転送システムであって、上記通信経路制御装置は、上記通信ケーブルの差込口を複数有し、この差込口に上記複数の情報処理装置の数に対応した通信ケーブルが接続されると、各通信ケーブルごとに異なるネットワークアドレスを付与するとともに、この通信ケーブルに接続された情報通信端末に自動的にＩＰアドレスを付与するアドレス付与手段を有し、上記ネットワークアドレスごとに１の情報処理装置を対応させた対応テーブル生成手段と、上記情報通信端末から上記通信経路制御装置を介して転送された所定のデータを受信し、上記対応テーブルにより、上記所定のデータを転送した情報通信端末の属するネットワークアドレスに対応する情報処理装置を選択する選択手段と、選択された情報処理装置に上記所定のデータを転送する転送手段とを有する情報処理サーバを備えたことを特徴とする。
【００１２】
この構成によれば、通信ケーブルに接続された情報通信端末と情報処理装置とは、一意に対応し、上記所定のデータは、情報通信端末と通信経路制御装置と情報処理サーバと情報処理装置との間でのみ転送され、ネットワーク全体には流出しない。
【００１３】
上記情報処理サーバの機能をすべて情報通信端末が備えるようにしてもよい。この場合は、上記対応テーブルにより、上記通信ケーブルに接続された情報通信端末に対応する情報処理装置を選択し、この選択された情報処理装置に上記所定のデータを転送する処理は、すべて情報通信端末によって行なわれる。
【００１４】
上記通信経路制御装置が、ＶＬＡＮ機能とＤＨＣＰサーバ機能とを有するルータであってもよい。このＶＬＡＮ機能は、各差込口に接続された通信ケーブルごとにブロードキャストドメインを分割し、各通信ケーブルごとに異なるネットワークアドレスを付与し、ＤＨＣＰサーバ機能は、上記情報通信端末が上記いずれかの通信ケーブルに接続されると、この情報通信端末にＩＰアドレスを自動的に付与する。この２つの機能は、上記ルータ内において上記ＩＰアドレス付与手段を構成するものである。
【００１５】
また、上記通信経路制御装置は、上記ＩＰアドレス付与手段が、上記各差込口にハブを介して、ＤＨＣＰサーバと上記通信ケーブルとを接続し、このＤＨＣＰサーバによって通信ケーブルごとにネットワークアドレスを付与するとともに、上記情報通信端末が上記いずれかの通信ケーブルに接続されると、この情報通信端末にＩＰアドレスを自動的に付与するように構成されたものであってもよい。
【００１６】
情報処理装置の数に対応した通信ケーブルに加えて、複数の情報処理装置の組み合わせの数に対応した通信ケーブルも上記差込口に接続することにより、上記ＩＰアドレス付与手段は、各通信ケーブルに異なるネットワークアドレスを付与するとともに、上記情報通信端末が上記いずれかの通信ケーブルに接続されると、この情報通信端末にＩＰアドレスを自動的に付与するものであり、上記対応テーブル生成手段は、上記ネットワークアドレスごとに１または複数の情報処理装置を対応させたものであってもよい。
【００１７】
上記所定のデータが、画面表示データであり、上記情報処理装置が、この画面表示データを表示する画面表示装置であってもよい。
【００１８】
なお、本発明にかかるデータ転送プログラムは、上記情報処理サーバまたは上記情報通信端末で、上記対応テーブル生成手段及び情報処理装置の選択手段の機能を実現させるものである。
【００１９】
本発明にかかるデータ転送方法は、情報通信端末から、通信ケーブルを接続した通信経路制御装置を介して、複数の情報処理装置のうち特定の情報処理装置を選択して所定のデータを転送するデータ転送方法であって、上記通信経路制御装置の複数の差込口に情報処理装置の数に対応した通信ケーブルを接続し、各通信ケーブルに異なるネットワークアドレスを付与するステップと、付与された各ネットワークアドレスに１つの情報処理装置を対応させた対応テーブルを生成するステップと、上記情報通信端末を上記通信ケーブルに接続し、接続された通信ケーブルに付与されたネットワークアドレスに基づいて上記情報通信端末にＩＰアドレスを自動的に付与するステップと、この情報通信端末で通信ケーブルの接続を検出し、上記通信ケーブルを介して上記所定のデータを上記情報処理装置に転送するステップと、上記対応テーブルによって転送された上記所定のデータの転送先となる情報処理装置を選択するステップと、選択された情報処理装置に上記所定のデータを転送するステップとを有することを特徴とする。
【００２０】
この方法によれば、情報通信端末を上記通信ケーブルに接続して上記所定のデータを転送すると、接続した通信ケーブルによって特定された情報処理装置にデータが転送される。
【００２１】
なお、上記データ転送方法は、上記付与された各ネットワークアドレスに１つ情報処理装置を対応させるとともに、複数の情報処理装置を組み合わせたものも対応させて対応テーブルを生成し、上記情報通信端末が、複数の情報処理装置を組み合わせたものに対応するネットワークアドレスを付与された通信ケーブルに接続された場合は、この複数の情報処理装置に上記転送データを転送するようにしてもよい。
【発明の効果】
【００２２】
以上の説明から明らかなように、本発明にかかるデータ転送システム、データ転送方法は、情報通信端末を通信ケーブルに接続すると、通信ケーブルに対応した情報処理装置にデータが転送されるため、特別な操作が不要であり、操作ミスが減り、誤って他の情報処理装置にデータが転送されるというミスの発生を防ぐことができるという効果を奏する。
【００２３】
また、上記所定のデータは、情報通信端末と通信経路制御装置と必要に応じて情報処理サーバと情報処理装置との間でのみ転送されるため、ネットワーク全体にデータが流出せず、ネットワークの負荷を軽減するという効果を奏する。
【００２４】
さらに、上記のとおり、データが転送される範囲が、限定されているため、情報漏洩等に対するセキュリティを向上させることもできるという効果を奏する。
【発明を実施するための最良の形態】
【００２５】
図１は、本発明にかかるデータ転送システムのブロック構成図である。本発明にかかるデータ転送システムは、情報通信端末から、通信ケーブルを接続した通信経路制御装置を介して、複数の情報処理装置のうち特定の情報処理装置を選択して所定のデータを転送するものであるが、上記情報通信端末としてクライアントパーソナルコンピュータ（以下「クライアントＰＣ」という）を、通信経路制御装置としてルータを、情報処理装置としてプロジェクタを、所定のデータとして画面表示データを例に、ＬＡＮ上で構成されたデータ転送システムとして説明する。従って、上記情報処理装置が他のデバイス、例えば、複合機、コピー機であり、所定のデータが印刷する出力データであってもよい。
【００２６】
図１（ａ）を参照して、１はクライアントＰＣであり、本発明にかかるデータ転送システムのクライアント端末として機能する。クライアントＰＣ１は、通信経路を制御するルータ２に接続されているＬＡＮケーブル３ａ、３ｂ、３ｃに接続可能であり、このＬＡＮケーブル３ａ、３ｂ、３ｃを介して画面表示データを転送する。ルータ２は、後述するように、ＬＡＮケーブル３ａ、３ｂ、３ｃにそれぞれ異なるネットワークアドレスを付与する。  ルータ２には、各ネットワークアドレスにプロジェクタ５を一意に対応させる対応テーブルを生成し、画面表示データを上記対応テーブルで特定したプロジェクタ５に転送する情報処理サーバ４が接続されている。
【００２７】
また、ルータ２には、プロジェクタ５として、５ａ、５ｂ、５ｃの３つのプロジェクタが接続されいてる。
【００２８】
ルータ２は、ＬＡＮネットワーク網Ｎに接続されているが、上記画面表示データは、クライアントＰＣ１からルータ２と情報処理サーバ４とを介してプロジェクタ５にのみ転送される閉じたネットワークを形成しているため、ＬＡＮネットワーク網Ｎには、流出しない。
【００２９】
図１（ｂ）は、（ａ）の構成の第１変形例である。（ａ）では、情報処理サーバ４とプロジェクタ５とは、いずれもルータ２に直接接続されているが、この第１変形例では、ルータ２に直接接続されているのは、情報処理サーバ４であり、この情報処理サーバ４にプロジェクタ５が接続されいる。
【００３０】
図１（ｃ）は、（ａ）の構成の第２変形例である。上記（ａ）及び（ｂ）の構成では、情報処理サーバ４が介在しているが、この第２変形例では、クライアントＰＣ１が情報処理サーバ４の機能である上記対応テーブルの生成部４１を有し、この生成部４１で生成された対応テーブルに基づき、クライアントＰＣ１内で転送すべきプロジェクタ５を選択して転送するものである。上記（ａ）及び（ｂ）では、クライアントＰＣ１は、情報処理サーバ４に画面表示データを転送するクライアント端末として、あらかじめ情報処理サーバ４のＩＰアドレスを設定する必要があるが、（ｃ）の第２変形例の構成では、クライアントＰＣ１内で情報処理サーバ４と同様の処理を行なうため、ＩＰアドレスの設定は不要になる。
【００３１】
図２は、クライアントＰＣ１の機能ブロック図である。クライアントＰＣ１は、画面表示データ入力部１１で画面表示データを入力し、画面表示データ記憶部１２に保存する。
【００３２】
クライアントＰＣ１のＬＡＮケーブル接続部１３にＬＡＮケーブル３（図１参照）を接続すると、ＬＡＮケーブル検出部１４でＬＡＮケーブルの検出を行う。
【００３３】
クライアントＰＣ１にＬＡＮケーブル３が接続されると、後述するように、クライアントＰＣ１は、ＩＰアドレス自動取得部１５でＩＰアドレスを取得する。ＩＰアドレスを取得すると、画面表示データ記憶部１２から画面表示データを読み出し、画面表示データ転送部１６によって、クライアントＰＣ１の発信元アドレスとともに、画面表示データを転送する。
【００３４】
図３（ａ）は、第１実施例にかかるルータ２の機能ブロック構成図である。ルータ２は、ＤＨＣＰサーバ機能２１を内蔵し、このＤＨＣＰサーバ機能２１により、差込口（ポート）２２ａ、２２ｂ、２２ｃにそれぞれ接続されたＬＡＮケーブル３ａ、３ｂ、３ｃにネットワークアドレスを付与する。ＤＨＣＰ（Dynamic Host Configuration Protocol）とは、ＴＣＰ/ＩＰで通信を行なうために、ＩＰアドレスなどの設定を自動的、動的に行なうプロトコルである。ＤＨＣＰを利用するためには、所定の範囲内で有効期限付きでＩＰアドレスを付与するＤＨＣＰサーバとＤＨＣＰサーバによって付与されるＩＰアドレスを受け取る設定を行なったＤＨＣＰクライアントが必要になる。本実施の形態では、ルータ２がＤＨＣＰサーバ機能２１を有し、クライアントＰＣ１ａ、１ｂ、１ｃがＤＨＣＰクライアントになるように構成されている。
【００３５】
各ポート２２ａ、２２ｂ、２２ｃに接続されたＬＡＮケーブル３ａ、３ｂ、３ｃは、プロジェクタ５ａ、５ｂ、５ｃと一意に対応させるために、ＤＨＣＰサーバ機能２１から各々異なるネットワークアドレスを付与しなければならない。本実施の形態では、ルータ２が有するＶＬＡＮ機能により、ＬＡＮケーブル３ａ、３ｂ、３ｃに異なるネットワークアドレスが付与される。ＶＬＡＮ（Virtual LAN）とは、スイッチによって仮想的に、ＬＡＮ上のコンピュータが直接通信を行なえる範囲、すなわち、ブロードキャストドメインを分割する技術をいう。本発明は、このＶＬＡＮ機能により、ＬＡＮケーブルごとにブロードキャストドメインを分割し、各ＬＡＮケーブルに異なるネットワークアドレスを付与するようにしたものである。
【００３６】
図３（ａ）では、ポート２２ａにＬＡＮケーブル３ａを介してクライアントＰＣ１ａが接続されている範囲をＶ１とし、ポート２２ｂにＬＡＮケーブル３ｂを介してクライアントＰＣ１ｂが接続されている範囲をＶ２とし、ポート２２ｃにＬＡＮケーブル３ｃを介してクライアントＰＣ１ｃが接続されている範囲をＶ３とした。  
【００３７】
例えば、図１で説明した情報処理サーバ４の対応テーブルでＬＡＮケーブル３ａに付与されたネットワークアドレスとプロジェクタ５ａとが対応付けられている場合を例に説明する（以下、図３（ｂ）でも同様の例で説明する。）。
【００３８】
クライアントＰＣ１ａは、ＬＡＮケーブル３ａに接続すると、ＤＨＣＰサーバ機能２１により、ＬＡＮケーブル３ａに付与されているネットワークアドレスに基づいてＩＰアドレスが付与される。
【００３９】
このクライアントＰＣ１ａから、画面表示データを転送すると、ＬＡＮケーブル３ａを介してポート２２ａからルータ２に入り、ルーティング制御部２３で、情報処理サーバ４に転送され、上記対応テーブルによりプロジェクタ５ａが特定され、プロジェクタ５ａに画面表示データが転送される。
【００４０】
図３（ｂ）は、第２実施例にかかるルータ２の機能ブロック構成図である。図３（ａ）では、ルータ２が、ＤＨＣＰサーバ機能、ＶＬＡＮ機能を内蔵してる形態を示したが、本実施形態では、物理的にルータ２のポート２２ａ、２２ｂ、２２ｃをそれぞれ他のポートと分割するために、各ポート２２ａ、２２ｂ、２２ｃに、ハブ２３ａ、２３ｂ、２３ｃを介して、ＤＨＣＰサーバ２１ａ、２１ｂ、２１ｃとＬＡＮケーブル３ａ、３ｂ、３ｃとを接続した。
【００４１】
この構成は、図３（ａ）でＶＬＡＮ機能により、仮想的に分割したブロードキャストドメインを物理的に分割したものである。
【００４２】
従って、図３（ａ）同様の処理方法により、クライアントＰＣ１ａからプロジェクタ５ａに画面表示データが転送される。
【００４３】
図４は、情報処理サーバ４で生成される対応テーブル概念図である。本実施の形態では、情報処理サーバ４は、図１（ａ）の構成のもの、ルータ２は、図３（ａ）の構成のものを使って説明するが、図１（ｂ）、（ｃ）及び図３（ｂ）の構成であっても、同様の対応テーブルが生成される。
【００４４】
ルータ２は、ＬＡＮケーブル３ａ、３ｂ、３ｃが接続されると、内蔵されているＤＨＣＰサーバ機能及びＶＬＡＮ機能により、各ＬＡＮケーブルに異なるネットワークアドレスを付与する。本実施の形態では、ＬＡＮケーブル３ａには、「１９２．１６８．１０」のネットワークアドレスが設定され、このＬＡＮケーブル３ａに接続されたクライアントＰＣは、ホストアドレスが１０乃至２０のＩＰアドレスが付与される。同様に、ＬＡＮケーブル３ｂには、「１９２．１６８．２０」のネットワークアドレスが設定され、このＬＡＮケーブル３ｂに接続されたクライアントＰＣは、ホストアドレスが１０乃至２０のＩＰアドレスが付与される。また、ＬＡＮケーブル３ｃには、「１９２．１６８．３０」のネットワークアドレスが設定され、このＬＡＮケーブル３ｃに接続されたクライアントＰＣは、ホストアドレスが１０乃至２０のＩＰアドレスが付与される。
【００４５】
上記ネットワークアドレスが付与されると、情報処理サーバ４では、各ネットワークアドレス（送信元アドレス）とプロジェクタ５とを一意に対応させる対応テーブルを生成する。図４では、対応テーブルは、ＬＡＮケーブル３ａに付与された送信元アドレス「１９２．１６８．１０」は、プロジェクタ５ａに対応し、ＬＡＮケーブル３ｂに付与された送信元アドレス「１９２．１６８．２０」は、プロジェクタ５ｂに対応し、ＬＡＮケーブル３ｃに付与された送信元アドレス「１９２．１６８．３０」は、プロジェクタ５ｃに対応している。
【００４６】
この対応テーブルにより、送信元アドレスとプロジェクタが一意に対応するが、利用者側からみれば、各ＬＡＮケーブル３と各プロジェクタ５とが一意に対応していることになる。したがって、実際の運用としては、各ＬＡＮケーブル３に、対応するプロジェクタ５が判別できる印をつければよい。
【００４７】
利用者は、画面表示データを表示させたいプロジェクタの印が付されているケーブルに接続し、画面表示データを転送するだけで、所望のプロジェクタに画面表示データを表示させることができるので、複雑な設定や操作が不要になる。なお、プロジェクタ５を判別する印としては、たとえば、異なる色のＬＡＮケーブルを接続するか、ＬＡＮケーブルにタグをつけるようにすればよい。
【００４８】
ところで、上記ＬＡＮケーブル３ａ、３ｂ、３ｃは、プロジェクタ５ａ、５ｂ、５ｃに一意に対応付けられているが、所定の画面表示データを複数のプロジェクタ５に表示させたい場合もある。
【００４９】
そこで、ルータ２に接続されたＬＡＮケーブル３ｄには、ネットワークアドレス「１９２．１６８．４０」を付与し、対応テーブルでは、このＬＡＮケーブル３ｄに接続されたクライアントＰＣの送信元アドレス（「１９２．１６８．４０」）は、プロジェクタ５ａ〜５ｃが対応するようにすればよい。
【００５０】
ＬＡＮケーブル３ｄにクライアントＰＣが接続された場合は、情報処理サーバ４でプロジェクタ５ａ、５ｂ、５ｃすべてに画面表示データが転送される。
【００５１】
図５は、本発明にかかるデータ転送方法の処理フロー図である。
【００５２】
クライアントＰＣ１で画面表示データを入力し、記憶させ（Ｓ１）、情報処理サーバ４のＩＰアドレスを設定する（Ｓ２）。ただし、情報処理サーバ４を設置せず、図１（ｃ）で説明したように、クライアントＰＣ１が対応テーブル生成部４１を備えたものである場合は、情報処理サーバ４のＩＰアドレスの設定は不要である。
【００５３】
ルータ２では、各ポートにプロジェクタに対応したＬＡＮケーブルを接続し（Ｓ３）、各ＬＡＮケーブルごとに異なるネットワークアドレスを設定する（Ｓ４）。このネットワークアドレスの設定は、ルータに接続されたＤＨＣＰサーバによって設定されてもよいが、ルータ２に内蔵するＤＨＣＰサーバ機能で設定してもよい。
【００５４】
情報処理サーバ４では、上記設定されたネットワークアドレスとプロジェクタとの対応テーブルを生成する（Ｓ５）。このとき、ネットワークアドレスとプロジェクタ５とは、一意に対応させるもののほか、一つのネットワークアドレスに対して、複数のプロジェクタ５を対応させるものも含めてもよい。
【００５５】
ルータ２のポートに接続されているＬＡＮケーブルのうち、クライアントＰＣ１を所望のＬＡＮケーブルに接続する（Ｓ６）。ここで、所望するＬＡＮケーブルを見分ける方法としては、ＬＡＮケーブルごとに、色を分けるか、タグをつけるようにすればよい。
【００５６】
ルータ２は、接続されたＬＡＮケーブルのネットワークアドレスに基づき、クライアントＰＣにＩＰアドレスを付与する（Ｓ７）。
【００５７】
クライアントＰＣ１は、ＬＡＮケーブルの接続を検出すると（Ｓ８）、画像表示クライアントが起動し（Ｓ９）、上記記憶していた画面表示データを送信元アドレス（クライアントＰＣ１に設定されたＩＰアドレス）とともに転送する（Ｓ１０）。
【００５８】
転送された画像表示データは、ルータ２でルーティング制御され、情報処理サーバ４に転送される（Ｓ１１）。
【００５９】
情報処理サーバ４で画面表示データを受信すると（Ｓ１２）、この画面表示データとともに転送された送信元アドレスから、対応テーブルを参照し、対応するプロジェクタ５を選択する（Ｓ１３）。対応するプロジェクタ５が選択されると、画面表示データを選択されたプロジェクタ５に送信する（Ｓ１４）。
【００６０】
プロジェクタ５では、上記画面表示データを受信し（Ｓ１５）、画面上でこの画面表示データを表示する処理をする（Ｓ１６）。
【図面の簡単な説明】
【００６１】
【図１】（ａ）データ転送システムの第１実施例にかかるブロック構成図、（ｂ）データ転送システムの第２実施例にかかるブロック構成図、（ｃ）データ転送システムの第３実施例にかかるブロック構成図
【図２】クライアントＰＣの機能ブロック構成図
【図３】（ａ）ルータの第１実施例にかかる機能ブロック構成図、（ｂ）ルータの第２実施例にかかる機能ブロック構成図図
【図４】対応テーブル概念図
【図５】本発明にかかるデータ転送方法の処理フロー図
【符号の説明】
【００６２】
１    クライアントＰＣ
２    ルータ
３    ＬＡＮケーブル
４    情報処理サーバ
５    プロジェクタ
Ｎ    ＬＡＮネットワーク網
【図１】
2009004898.tif 000003
【図２】
2009004898.tif 000004
【図３】
2009004898.tif 000005
【図４】
2009004898.tif 000006
【図５】
2009004898.tif 000007